(57)【要約】【課題】後ろ側筐体と中間筐体との間で生じるビビリ音を低減可能な表示装置を提供する。【解決手段】この液晶テレビ装置１００（表示装置）は、表示画面部１を支持するフロントキャビネット２と、外周壁部３２を含むリアキャビネット３と、フロントキャビネット２とリアキャビネット３との間に配置され、リアキャビネット３の外周壁部３２が嵌合される壁部４４を含むフレア部材４と、リアキャビネット３の外周壁部３２とフレア部材４の壁部４４との嵌合部分に設けられ、リアキャビネット３の外周壁部３２がフレア部材４の壁部４４に嵌合される際に、リアキャビネット３の外周壁部３２とフレア部材４の壁部４４とを所定の隙間分離間させるリブ４４１とを備える。【選択図】図５
2011123166.tif 000002
【特許請求の範囲】
【請求項１】
表示画面部を支持する前側筐体と、
第１嵌合部を含む後ろ側筐体と、
前記前側筐体と前記後ろ側筐体との間に配置され、前記後ろ側筐体の前記第１嵌合部が嵌合される第２嵌合部を含む中間筐体と、
前記後ろ側筐体の第１嵌合部と前記中間筐体の前記第２嵌合部との嵌合部分または前記嵌合部分の近傍に設けられ、前記後ろ側筐体の第１嵌合部が前記中間筐体の第２嵌合部に嵌合される際に、前記後ろ側筐体の第１嵌合部と前記中間筐体の第２嵌合部とを所定の隙間分離間させる離間部とを備える、表示装置。
【請求項２】
前記離間部は、前記後ろ側筐体の第１嵌合部に向かって突出するように前記中間筐体の第２嵌合部に一体的に設けられた第１リブを含む、請求項１に記載の表示装置。
【請求項３】
前記第１リブは、前記後ろ側筐体の第１嵌合部と前記中間筐体の第２嵌合部とを前記所定の隙間分離間させた状態で、前記後ろ側筐体の第１嵌合部に対して前記中間筐体の第２嵌合部から離間する方向の押圧力を付与するように構成されている、請求項２に記載の表示装置。
【請求項４】
前記第１リブは、前記後ろ側筐体の第１嵌合部と前記中間筐体の第２嵌合部との嵌合方向において先端に向かって徐々に突出量が小さくなるテーパ形状を有する、請求項２または３に記載の表示装置。
【請求項５】
前記後ろ側筐体は、前記後ろ側筐体の第１嵌合部が前記中間筐体の第２嵌合部に嵌合される際に、前記中間筐体の第２嵌合部の前記離間部が配置されている側とは反対側の部分に当接する当接部を含む、請求項１〜４のいずれか１項に記載の表示装置。
【請求項６】
前記当接部は、前記後ろ側筐体の第１嵌合部に一体的に設けられ、前記第１嵌合部との間に前記第２嵌合部および前記離間部を挟むように配置される第２リブを含む、請求項５に記載の表示装置。
【請求項７】
前記当接部は、前記離間部の近傍に配置されている、請求項５または６に記載の表示装置。
【請求項８】
前記中間筐体は、平面的に見て、略矩形形状の外形を有し、
前記離間部は、略矩形形状の前記中間筐体の４辺のそれぞれに設けられている、請求項５〜７のいずれか１項に記載の表示装置。
【請求項９】
前記離間部は、一対を一組として前記中間筐体の前記４辺のそれぞれに設けられており、
前記当接部は、一対の前記離間部の間に配置されている、請求項８に記載の表示装置。
【請求項１０】
前記中間筐体の第２嵌合部は、壁状に形成されており、前記後ろ側筐体の第１嵌合部と前記中間筐体の第２嵌合部との嵌合方向において先端に向かって徐々に厚みが小さくなるテーパ形状を有する、請求項１〜９のいずれか１項に記載の表示装置。
【請求項１１】
前記後ろ側筐体の第１嵌合部および前記中間筐体の第２嵌合部は、それぞれ、前記嵌合部分に嵌合面を有し、
前記離間部により、前記第１嵌合部の前記嵌合面と前記第２嵌合部の前記嵌合面とが前記所定の隙間分離間されるように構成されている、請求項１〜１０のいずれか１項に記載の表示装置。
【発明の詳細な説明】
【技術分野】
【０００１】
この発明は、表示装置に関し、特に、表示画面部と筐体とを備えた表示装置に関する。
【背景技術】
【０００２】
従来、表示画面部と筐体とを備えた表示装置が知られている（たとえば、特許文献１参照）。
【０００３】
上記特許文献１には、液晶パネルを支持するフロントキャビネット（前側筐体）と、フロントキャビネットが嵌合されるリアキャビネット（後ろ側筐体）とを備えた表示装置が開示されている。この表示装置では、フロントキャビネットの液晶パネルのベゼル（枠）に対向する部分にベゼルに線接触するようにベゼルの方向に突出する支持枠が設けられている。そして、この表示装置は、液晶パネルのベゼルとフロントキャビネットの支持枠とを線接触させることによって、液晶パネルのベゼルとフロントキャビネットとの間で生じるビビリ音を低減するように構成されている。
【０００４】
また、従来、前側筐体および後ろ側筐体に加えて、前側筐体と後ろ側筐体との間に配置される中間筐体を備えた表示装置も知られている。
【先行技術文献】
【特許文献】
【０００５】
【特許文献１】特開２００８−３０９８９０号公報
【発明の概要】
【発明が解決しようとする課題】
【０００６】
しかしながら、上記特許文献１の表示装置では、液晶パネルのベゼル（枠）とフロントキャビネットとの間で生じるビビリ音を低減可能である一方、互いに嵌合される筐体間で生じるビビリ音を低減することができないという不都合がある。このため、上記特許文献１の構成を前側筐体および後ろ側筐体に加えて中間筐体を備える表示装置に適用した場合においても、後ろ側筐体と中間筐体との間で生じるビビリ音を低減することができないという問題点がある。
【０００７】
この発明は、上記のような課題を解決するためになされたものであり、この発明の１つの目的は、後ろ側筐体と中間筐体との間で生じるビビリ音を低減可能な表示装置を提供することである。
【課題を解決するための手段および発明の効果】
【０００８】
この発明の一の局面による表示装置は、表示画面部を支持する前側筐体と、第１嵌合部を含む後ろ側筐体と、前側筐体と後ろ側筐体との間に配置され、後ろ側筐体の第１嵌合部が嵌合される第２嵌合部を含む中間筐体と、後ろ側筐体の第１嵌合部と中間筐体の第２嵌合部との嵌合部分または嵌合部分の近傍に設けられ、後ろ側筐体の第１嵌合部が中間筐体の第２嵌合部に嵌合される際に、後ろ側筐体の第１嵌合部と中間筐体の第２嵌合部とを所定の隙間分離間させる離間部とを備える。
【０００９】
この発明の一の局面による表示装置では、上記のように、後ろ側筐体の第１嵌合部が中間筐体の第２嵌合部に嵌合される際に、後ろ側筐体の第１嵌合部と中間筐体の第２嵌合部とを所定の隙間分離間させる離間部を設けることによって、離間部により、後ろ側筐体の第１嵌合部と中間筐体の第２嵌合部とを確実に離間させることができるので、スピーカからの振動などに起因して第１嵌合部と第２嵌合部とが接触するのを確実に抑制することができる。これにより、第１嵌合部と第２嵌合部とが接触状態と非接触状態とを交互に繰り返すことによって生じるビビリ音を低減することができる。すなわち、この表示装置では、後ろ側筐体と中間筐体との間で生じるビビリ音を低減させることができる。
【００１０】
上記一の局面による表示装置において、好ましくは、離間部は、後ろ側筐体の第１嵌合部に向かって突出するように中間筐体の第２嵌合部に一体的に設けられた第１リブを含む。このように構成すれば、第２嵌合部に一体的に設けられた第１リブにより、部品点数を増加させることなく、後ろ側筐体の第１嵌合部と中間筐体の第２嵌合部とを容易に離間させることができる。
【００１１】
この場合、好ましくは、第１リブは、後ろ側筐体の第１嵌合部と中間筐体の第２嵌合部とを所定の隙間分離間させた状態で、後ろ側筐体の第１嵌合部に対して中間筐体の第２嵌合部から離間する方向の押圧力を付与するように構成されている。このように構成すれば、押圧部による張力（テンション）により、スピーカからの振動などに起因して第１嵌合部と第２嵌合部とが振動するのが低減されるので、後ろ側筐体と中間筐体との間で生じるビビリ音をより低減させることができる。
【００１２】
上記離間部が第１リブを含む構成において、好ましくは、第１リブは、後ろ側筐体の第１嵌合部と中間筐体の第２嵌合部との嵌合方向において先端に向かって徐々に突出量が小さくなるテーパ形状を有する。このように構成すれば、第２嵌合部に設けられた第１リブの先端の突出量が大きい場合に比べて、第２嵌合部に第１嵌合部を嵌合させ易くすることができる。
【００１３】
上記一の局面による表示装置において、好ましくは、後ろ側筐体は、後ろ側筐体の第１嵌合部が中間筐体の第２嵌合部に嵌合される際に、中間筐体の第２嵌合部の離間部が配置されている側とは反対側の部分に当接する当接部を含む。このように構成すれば、後ろ側筐体の当接部により、後ろ側筐体の第１嵌合部が中間筐体の第２嵌合部から離間する方向に移動するのが抑制されるので、後ろ側筐体の第１嵌合部と中間筐体の第２嵌合部との離間距離が所定の隙間分よりも大きくなるのを抑制することができる。これにより、後ろ側筐体の第１嵌合部と中間筐体の第２嵌合部とを確実に嵌合させることができる。
【００１４】
この場合、好ましくは、当接部は、後ろ側筐体の第１嵌合部に一体的に設けられ、第１嵌合部との間に第２嵌合部および離間部を挟むように配置される第２リブを含む。このように構成すれば、第１嵌合部と第１嵌合部に一体的に設けられた第２リブとにより、部品点数を増加させることなく、第２嵌合部および離間部を挟み込んでより確実に第１嵌合部と第２嵌合部とを嵌合させることができる。
【００１５】
上記後ろ側筐体が当接部を含む構成において、好ましくは、当接部は、離間部の近傍に配置されている。このように構成すれば、離間部と当接部との間の距離が小さくなる分、当接部により、離間部によって離間される第１嵌合部と第２嵌合部との離間距離が所定の隙間分よりも大きくなるのをより確実に抑制することができるので、第１嵌合部と第２嵌合部とをより確実に嵌合させることができる。
【００１６】
上記後ろ側筐体が当接部を含む構成において、好ましくは、中間筐体は、平面的に見て、略矩形形状の外形を有し、離間部は略矩形形状の中間筐体の４辺のそれぞれに設けられている。このように構成すれば、中間筐体の４辺全てにおいて、後ろ側筐体の第１嵌合部と中間筐体の第２嵌合部とを確実に離間させることができるので、中間筐体の４辺全て（後ろ側筐体と中間筐体との嵌合部分全域）においてビビリ音を低減させることができる。
【００１７】
上記中間筐体が略矩形形状の外形を有する構成において、好ましくは、離間部は一対を一組として中間筐体の４辺のそれぞれに設けられており、当接部は一対の離間部の間に配置されている。このように構成すれば、一対の離間部により、中間筐体の４辺全てにおいて第１嵌合部と第２嵌合部とをより確実に離間させることができるので、中間筐体の４辺全てにおいてビビリ音をより低減させることができる。また、当接部を一対の離間部の間に配置することによって、当接部を離間部の近傍に位置させることができる。これにより、離間部と当接部との間の距離が小さくなる分、当接部により、離間部によって離間される第１嵌合部と第２嵌合部との離間距離が所定の隙間分よりも大きくなるのをより確実に抑制することができるので、第１嵌合部と第２嵌合部とをより確実に嵌合させることができる。
【００１８】
上記一の局面による表示装置において、好ましくは、中間筐体の第２嵌合部は、壁状に形成されており、後ろ側筐体の第１嵌合部と中間筐体の第２嵌合部との嵌合方向において先端に向かって徐々に厚みが小さくなるテーパ形状を有する。このように構成すれば、第２嵌合部の先端の厚みが大きい場合に比べて、第２嵌合部に第１嵌合部を嵌合させ易くすることができる。
【００１９】
上記一の局面による表示装置において、好ましくは、後ろ側筐体の第１嵌合部および中間筐体の第２嵌合部は、それぞれ、嵌合部分に嵌合面を有し、離間部により、第１嵌合部の嵌合面と第２嵌合部の嵌合面とが所定の隙間分離間されるように構成されている。このように構成すれば、後ろ側筐体の第１嵌合部と中間筐体の第２嵌合部とが互いの嵌合面で嵌合する場合にも、離間部により、第１嵌合部の嵌合面と第２嵌合部の嵌合面とが確実に離間されて後ろ側筐体と中間筐体との間で生じるビビリ音を低減させることができる。
【図面の簡単な説明】
【００２０】
【図１】本発明の一実施形態による液晶テレビ装置の全体構成を示した斜視図である。
【図２】本発明の一実施形態による液晶テレビ装置の全体構成を示した分解斜視図である。
【図３】本発明の一実施形態による液晶テレビ装置のフロントキャビネットを示した斜視図である。
【図４】本発明の一実施形態による液晶テレビ装置のリアキャビネットを示した斜視図である。
【図５】本発明の一実施形態による液晶テレビ装置のフレア部材とリアキャビネットとが嵌合される前の状態を示した斜視図である。
【図６】本発明の一実施形態による液晶テレビ装置のフレア部材とリアキャビネットとの嵌合状態を示した斜視図である。
【図７】本発明の一実施形態による液晶テレビ装置のフレア部材のリブとリアキャビネットのリブとの位置関係を示した図である。
【図８】図７の２００−２００線に沿った断面図である。
【図９】本発明の一実施形態による液晶テレビ装置のフレア部材を示した斜視図である。
【発明を実施するための形態】
【００２１】
以下、本発明の実施形態を図面に基づいて説明する。
【００２２】
まず、図１〜図９を参照して、本発明の一実施形態による液晶テレビ装置１００の構成について説明する。なお、本実施形態では、表示装置の一例である液晶テレビ装置１００に本発明を適用した場合について説明する。
【００２３】
本発明の一実施形態による液晶テレビ装置１００は、図１および図２に示すように、表示画面部１と、フロントキャビネット２と、リアキャビネット３と、フロントキャビネット２とリアキャビネット３との間に配置されるフレア部材４と、支持台５とを備えている。なお、フロントキャビネット２は、本発明の「前側筐体」の一例であり、リアキャビネット３は、本発明の「後ろ側筐体」の一例である。また、フレア部材４は、本発明の「中間筐体」の一例である。
【００２４】
表示画面部１は、液晶パネルモジュールからなり、正面側（Ｙ１方向側）に位置する表示面１１に映像を表示可能に構成されている。また、表示画面部１は、図１および図２に示すように、正面から見て（Ｙ１方向から見て）、略矩形形状を有している。
【００２５】
フロントキャビネット２は、図１および図２に示すように、液晶テレビ装置１００の正面側（Ｙ１方向側）に配置されている。具体的には、フロントキャビネット２は、フレア部材４およびリアキャビネット３よりも正面側（Ｙ１方向側）に配置されている。また、フロントキャビネット２は、樹脂部材からなり、表示画面部１を支持するように構成されている。また、フロントキャビネット２は、表示画面部１の表示面１１の縁部近傍を覆うように設けられている。また、フロントキャビネット２は、図３に示すように、枠形状に形成されている。具体的には、フロントキャビネット２は、平面的に見て、略矩形形状の外形を有するとともに、略矩形形状の開口部２１を有している。開口部２１は、表示画面部１の表示面１１を露出させるために設けられている。
【００２６】
リアキャビネット３は、図１および図２に示すように、液晶テレビ装置１００の背面側（Ｙ２方向側）に配置されている。具体的には、リアキャビネット３は、フロントキャビネット２およびフレア部材４よりも背面側（Ｙ２方向側）に配置されている。また、リアキャビネット３は、図４に示すように、平面的に見て、略矩形形状を有している。また、リアキャビネット３は、樹脂部材からなり、Ｙ２方向に凹む凹形状に形成されている。具体的には、リアキャビネット３は、略矩形形状の底部３１と、底部３１の縁部に設けられた外周壁部３２とを含んでいる。
【００２７】
リアキャビネット３の底部３１は、略平板形状を有するとともに、液晶テレビ装置１００の背面側の略全体を覆う大きさを有している。また、外周壁部３２は、底部３１から正面側（Ｙ１方向側）に突出するように形成されている。また、外周壁部３２は、底部３１の全周を囲むように配置されている。また、外周壁部３２は、図５および図６に示すように、フレア部材４の後述する壁部４４に嵌合するように構成されている。具体的には、リアキャビネット３およびフレア部材４は、外周壁部３２の内側面３２ａと壁部４４の外側面４４ａとが対向するように互いに嵌合する。また、外周壁部３２は、外周壁部３２がフレア部材４の壁部４４に嵌合される際に、フレア部材４の壁部４４の外側に配置されるように構成されている。なお、外周壁部３２は、本発明の「第１嵌合部」の一例であり、壁部４４は、本発明の「第２嵌合部」の一例である。また、内側面３２ａおよび外側面４４ａは、本発明の「嵌合面」の一例である。
【００２８】
ここで、本実施形態では、図４〜図６に示すように、リアキャビネット３の外周壁部３２の内側面３２ａには、複数のリブ３２１が内側に突出するように外周壁部３２に一体的に形成されている。また、リブ３２１は、外周壁部３２の剛性を高める機能を有している。また、リブ３２１は、底部３１を囲む外周壁部３２の全体にわたって設けられている。詳細には、リブ３２１は、外周壁部３２がフレア部材４の壁部４４に嵌合された状態で、フレア部材４の後述する壁部４４に設けられたリブ４４１の近傍に配置されている。より詳細には、リブ３２１は、図６および図７に示すように、外周壁部３２がフレア部材４の壁部４４に嵌合された状態で、一対を一組として設けられたフレア部材４のリブ４４１の間に配置されている。また、リブ３２１は、嵌合方向（Ｙ方向）に延びるように形成されている。また、リブ３２１は、略Ｌ字状の断面形状を有している。なお、リブ３２１は、略Ｔ字状などＬ字状以外の断面形状を有していてもよい。また、リブ３２１は、本発明の「当接部」および「第２リブ」の一例である。
【００２９】
また、リアキャビネット３のリブ３２１は、Ｙ１方向側の端部に切欠３２１ａを有している。また、リブ３２１は、図６および図８に示すように、外周壁部３２がフレア部材４の壁部４４に嵌合された状態で、壁部４４のリブ４４１が設けられる側とは反対側の内側面４４ｂに当接するように構成されている。すなわち、リブ３２１は、図８に示すように、フレア部材４の壁部４４が切欠３２１ａに挿入されることによって壁部４４の内側面４４ｂに当接する。言い換えれば、リブ３２１は、外周壁部３２との間にフレア部材４の壁部４４およびリブ４４１を挟むように構成されている。また、リブ３２１の切欠３２１ａ側のコーナ部３２１ｂは、面取りされて曲線形状に形成されている。これにより、フレア部材４の壁部４４を切欠３２１ａに挿入させ易くなる。
【００３０】
フロントキャビネット２とリアキャビネット３との間に配置されるフレア部材４は、図示しないスピーカや回路基板を支持可能に構成されている。また、フレア部材４は、図１に示すように、液晶テレビ装置１００が組み立てられた状態で、フロントキャビネット２およびリアキャビネット３よりも外側に突出する（張り出す）ように形成されている。また、フレア部材４は、図９に示すように、平面的に見て、略矩形形状を有している。また、フレア部材４は、樹脂部材からなり、Ｙ２方向に凹む凹形状に形成されている。具体的には、凹形状のフレア部材４は、底部４１に開口部４１１を有している。また、図５および図９に示すように、凹形状のフレア部材４の側壁部４２の縁部には、外側方向に広がる平坦部４３が形成されている。平坦部４３は、側壁部４２の全周にわたって設けられている。
【００３１】
また、フレア部材４の平坦部４３には、背面側（Ｙ２方向側）に突出する壁部４４が形成されている。壁部４４は、略矩形形状のフレア部材４の外形形状に沿うようにしてフレア部材４の外周部近傍に配置されている。また、壁部４４は、略矩形形状のフレア部材４の４辺のそれぞれに設けられている。また、壁部４４は、側壁部４２よりも小さい高さ（Ｙ方向の高さ）を有している。また、壁部４４は、図８に示すように、嵌合方向（Ｙ方向）において、根元部から先端部に向かって徐々に厚みが小さくなるテーパ形状を有している。詳細には、壁部４４の外側面４４ａは、先端部に向かって徐々に内側方向に傾斜しているとともに、壁部４４の内側面４４ｂは、先端部に向かって徐々に外側方向に傾斜している。
【００３２】
また、本実施形態では、フレア部材４の壁部４４の外側面４４ａには、外側方向に突出する複数のリブ４４１が設けられている。すなわち、リブ４４１は、リアキャビネット３の外周壁部３２とフレア部材４の壁部４４との嵌合部分に設けられている。また、リブ４４１は、壁部４４に一体的に形成されている。また、リブ４４１は、嵌合方向（Ｙ方向）に延びるように形成されている。また、リブ４４１の厚みは、図７に示すように、Ｙ１方向からＹ２方向に向かって徐々に小さくなるテーパ形状を有している。また、リブ４４１は、フレア部材４の４辺に設けられた壁部４４のそれぞれに配置されている。また、リブ４４１は、一対を一組として配置されている。一対のリブ４４１は、約１０ｍｍの離間距離を有している。また、リブ４４１は、隣接する他の組のリブ４４１から約１００ｍｍ離間した位置に配置されている。なお、リブ４４１は、本発明の「離間部」および「第１リブ」の一例である。
【００３３】
また、フレア部材４のリブ４４１は、図８に示すように、リアキャビネット３の外周壁部３２がフレア部材４の壁部４４に嵌合される際に、外周壁部３２の内側面３２ａを壁部４４の外側面４４ａから所定の隙間分離間させる機能を有している。詳細には、リブ４４１は、外周壁部３２の内側面３２ａを壁部４４の外側面４４ａから所定の隙間分離間させた状態で、外周壁部３２の内側面３２ａを壁部４４の外側面４４ａから離間する方向（外側方向）に押圧するように構成されている。また、リブ４４１は、嵌合方向（Ｙ方向）において、Ｙ１方向からＹ２方向に向かって徐々に壁部４４の外側面４４ａからの突出量が小さくなるテーパ形状を有している。すなわち、リブ４４１は、平坦部４３側から先端部に向かって徐々に突出量が小さくなるように形成されている。また、リブ４４１は、図８に示すように、Ｙ２方向の端部が面取りされて曲線形状に形成されている。
【００３４】
また、図９に示すように、フレア部材４の平坦部４３の縁部には、さらに外側方向に広がるフレア４５が形成されている。フレア４５は、図６および図８に示すように、リアキャビネット３の外周壁部３２がフレア部材４の壁部４４に嵌合された状態で、リアキャビネット３の外周壁部３２よりも外側に突出するように構成されている。
【００３５】
支持台５は、液晶テレビ装置１００を自立可能にするために設けられている。また、支持台５は、図示しない取付部によりリアキャビネット３に取り付けられている。
【００３６】
本実施形態では、上記のように、リアキャビネット３の外周壁部３２がフレア部材４の壁部４４に嵌合される際に、リアキャビネット３の外周壁部３２とフレア部材４の壁部４４とを所定の隙間分離間させるリブ４４１を設けることによって、リブ４４１により、外周壁部３２と壁部４４とを確実に離間させることができるので、スピーカからの振動などに起因して外周壁部３２と壁部４４とが接触するのを確実に抑制することができる。これにより、外周壁部３２と壁部４４とが接触状態と非接触状態とを交互に繰り返すことによって生じるビビリ音を低減することができる。すなわち、この液晶テレビ装置１００では、後ろ側筐体と中間筐体との間で生じるビビリ音を低減させることができる。
【００３７】
また、本実施形態では、リブ４４１をフレア部材４の壁部４４に一体的に設けることによって、壁部４４に一体的に設けられたリブ４４１により、部品点数を増加させることなく、リアキャビネット３の外周壁部３２とフレア部材４の壁部４４とを容易に離間させることができる。
【００３８】
また、本実施形態では、リアキャビネット３の外周壁部３２とフレア部材４の壁部４４とを所定の隙間分離間させた状態で、リアキャビネット３の外周壁部３２に対してフレア部材４の壁部４４から離間する方向に押圧するようにリブ４４１を構成することによって、リブ４４１による張力（テンション）により、スピーカからの振動などに起因して外周壁部３２と壁部４４とが振動するのが低減されるので、リアキャビネット３とフレア部材４との間で生じるビビリ音をより低減させることができる。
【００３９】
また、本実施形態では、リアキャビネット３の外周壁部３２とフレア部材４の壁部４４との嵌合方向（Ｙ方向）において先端に向かって徐々に突出量が小さくなるテーパ形状を有するようにリブ４４１を構成することによって、壁部４４に設けられたリブ４４１の先端の突出量が大きい場合に比べて、壁部４４に外周壁部３２を嵌合させ易くすることができる。
【００４０】
また、本実施形態では、リブ３２１を、リアキャビネット３の外周壁部３２に一体的に設けるとともに、外周壁部３２との間に壁部４４およびリブ４４１を挟むように配置することによって、外周壁部３２と外周壁部３２に一体的に設けられたリブ３２１とにより、部品点数を増加させることなく、壁部４４およびリブ４４１を挟み込んでより確実に外周壁部３２と壁部４４とを嵌合させることができる。
【００４１】
また、本実施形態では、リブ４４１を一対を一組としてフレア部材４の４辺のそれぞれに設けることによって、一対のリブ４４１により、フレア部材４の４辺全てにおいて外周壁部３２と壁部４４とを確実に離間させることができるので、フレア部材４の４辺全て（リアキャビネット３とフレア部材４との嵌合部分全域）においてビビリ音を低減させることができる。また、リブ３２１を一対のリブ４４１の間に配置することによって、リブ３２１をリブ４４１の近傍に位置させることができる。これにより、リブ４４１とリブ３２１との間の距離が小さくなる分、リブ３２１により、リブ４４１によって離間される外周壁部３２と壁部４４との離間距離が所定の隙間分よりも大きくなるのを確実に抑制することができるので、外周壁部３２と壁部４４とを確実に嵌合させることができる。
【００４２】
また、本実施形態では、フレア部材４の壁部４４を、リアキャビネット３の外周壁部３２とフレア部材４の壁部４４との嵌合方向（Ｙ方向）において先端に向かって徐々に厚みが小さくなるテーパ形状を有するように構成することによって、壁部４４の先端の厚みが大きい場合に比べて、壁部４４に外周壁部３２を嵌合させ易くすることができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、表示装置の一例として、液晶テレビ装置を示したが、本発明はこれに限られない。本発明では、前側筐体と中間筐体と後ろ側筐体とを有する表示装置であれば、液晶テレビ装置以外の他の表示装置であってもよい。
【００４５】
また、上記実施形態では、離間部としてのリブ４４１を第１嵌合部としての外周壁部３２と第２嵌合部としての壁部４４との嵌合部分に設ける構成の例を示したが、本発明はこれに限られない。本発明では、離間部を第１嵌合部と第２嵌合部との嵌合部分の近傍に設ける構成であってもよい。
【００４６】
また、上記実施形態では、離間部としてのリブ４４１を第２嵌合部としての壁部４４に設ける構成の例を示したが、本発明はこれに限られない。本発明では、離間部を第１嵌合部に設ける構成であってもよい。
【００４７】
また、上記実施形態では、離間部としてのリブ４４１を第２嵌合部としての壁部４４に一体的に形成する構成の例を示したが、本発明はこれに限られない。本発明では、第２嵌合部とは別個に形成した離間部を第２嵌合部に取り付ける構成であってもよい。
【００４８】
また、上記実施形態では、離間部の一例として、リブを示したが、本発明はこれに限られない。本発明では、第１嵌合部と第２嵌合部とを所定の隙間分離間させる構成であれば、たとえば、ボス形状の突起部などリブ以外の離間部であってもよい。
【００４９】
また、上記実施形態では、離間部としてのリブ４４１により、第１嵌合部としての外周壁部３２を押圧する構成の例を示したが、本発明はこれに限られない。本発明では、離間部により第１嵌合部と第２嵌合部とが所定の隙間分離間される構成であれば、離間部により第１嵌合部を押圧する必要はない。
【００５０】
また、上記実施形態では、離間部としてのリブ４４１がテーパ形状を有する構成の例を示したが、本発明はこれに限られない。本発明では、リブがテーパ形状を有さない構成であってもよい。
【００５１】
また、上記実施形態では、当接部の一例として、リブ３２１を示したが、本発明はこれに限られない。本発明では、第２嵌合部の離間部が配置されている側とは反対側の部分に当接する構成であれば、リブ以外の当接部であってもよい。
【００５２】
また、上記実施形態では、離間部としてのリブ４４１を中間筐体としての略矩形形状のフレア部材の４辺のそれぞれに設ける構成の例を示したが、本発明はこれに限られない。本発明では、離間部が中間筐体の少なくともいずれかの辺に設けられる構成であればよく、中間筐体の全ての辺に設ける必要はない。また、この際、離間部を一対を一組として設ける必要はないし、離間部を複数設ける必要もない。
【００５３】
また、上記実施形態では、第２嵌合部の一例として、壁状に形成された壁部４４を示したが、本発明はこれに限られない。本発明では、壁状以外の形状に形成された第２嵌合部であってもよい。
【００５４】
また、上記実施形態では、第１嵌合部に嵌合面としての内側面３２ａを設けるとともに、第２嵌合部に嵌合面としての外側面４４ａを設けることによって、第１嵌合部と第２嵌合部とを嵌合面で嵌合させる構成の例を示したが、本発明はこれに限られない。本発明では、第１嵌合部と第２嵌合部とが互いに嵌合する構成であれば、たとえば、線状に嵌合するなど、面同士が嵌合する構成以外の構成であってもよい。
【００５５】
また、上記実施形態では、前側筐体としてのフロントキャビネット、後ろ側筐体としてのリアキャビネットおよび中間筐体としてのフレア部材の全てが樹脂部材からなる構成の例を示したが、本発明はこれに限られない。本発明では、前側筐体、後ろ側筐体および中間筐体のそれぞれが互いに異なる材質からなる構成であってもよい。
【符号の説明】
【００５６】
１  表示画面部
２  フロントキャビネット（前側筐体）
３  リアキャビネット（後ろ側筐体）
４  フレア部材（中間筐体）
３２  外周壁部（第１嵌合部）
３２ａ  内側面（嵌合面）
４４  壁部（第２嵌合部）
４４ａ  外側面（嵌合面）
１００  液晶テレビ装置（表示装置）
３２１  リブ（当接部、第２リブ）
４４１  リブ（離間部、第１リブ）
【図１】
2011123166.tif 000003
【図２】
2011123166.tif 000004
【図３】
2011123166.tif 000005
【図４】
2011123166.tif 000006
【図５】
2011123166.tif 000007
【図６】
2011123166.tif 000008
【図７】
2011123166.tif 000009
【図８】
2011123166.tif 000010
【図９】
2011123166.tif 000011